(57)【要約】      （修正有）【課題】自動車シートのエアバッグ式充排気システム中に応用し、快適性を高めることができる複合式エア分配バルブユニットを提供する。【解決手段】エア分配バルブユニット１は、コントロールモジュール２、及び異なるエアバッグユニットに対して空気の充填を行い、或いは排気を行うことができる少なくとも２個の充排気バルブ３００を備える。空気ポンプ２が空気を進気すると、その内の１個のエアバッグユニットに対して空気を充填でき、或いはコントロールエアバルブ２００の切り換えを通して、別のエアバッグユニットに対して空気を充填する。しかも、空気ポンプ２が進気を停止すると、逆流防止弁を通してエアバッグ内の空気圧力を維持する。任意の充排気バルブ３００が作動すると、それが対応するエアバッグに対して排気を行うことができる。これにより、バルブの個数とコントロールプロセスを大幅にシンプルにすることができる。【選択図】図１
0003195007.tif 000002
【実用新案登録請求の範囲】
【請求項１】
複合式エア分配バルブユニットであって、空気ポンプとエレクトリックコントロールモジュールを備える充排気システム中に設置し、少なくとも２組のエアバッグに対して空気充填を行い、
しかも、エア分配バルブユニットは、外殻を備え、
前記外殻は、進気端から出気端まで順番に、前記エレクトリックコントロールモジュールと電気的に連接するコントロールエアバルブ、少なくとも２個の充排気バルブを備え、
前記コントロールエアバルブは、空気ポンプ出気端と連通する進気管、前記進気管下流に連通する進気室、コイルの励起作用を受け移動する分配電磁バルブ棒、前記分配電磁バルブ棒に封鎖され、前記進気室との間を常に閉まった状態に保持する第一分配流道、前記進気室との間を常に開いた状態に保持する第二分配流道を備え、前記分配電磁バルブ棒の移動後には、第二分配流道を封鎖すると同時に第一分配流道を開放でき、
前記少なくとも２個の充排気バルブには、進気通道をそれぞれ設置し、第一或いは第二分配流道に連通し、前記各充排気バルブは、進気通道上に位置する逆流防止弁、コイルの励起作用を受け移動する充排気電磁バルブ棒、前記逆流防止ベル部及び前記充排気電磁バルブ棒を通して前記進気通道と連通する充排気室、前記充排気室と常に開いた状態を保持する空気充填チューブ、前記充排気電磁バルブ棒の封鎖を受け、前記充排気室と常に閉まった状態を保持する排気口をそれぞれ備え、
任意の充排気バルブの進気通道に進気する時、空気は逆流防止弁、充排気室、空気充填チューブを通りエアバッグに対して空気を充填し、しかも進気を停止すると、逆流防止弁の逆流防止作用により、エアバッグ内の空気圧力を保持し、
前記充排気電磁バルブ棒がコイルの励起作用を受け移動すると、進気通道を閉鎖し、同時に排気口を開放し、これによりエアバッグ内の空気は反対向きに空気充填チューブ、充排気室を経由後、排気口より排出されることを特徴とする複合式エア分配バルブユニット。
【請求項２】
前記コントロールエアバルブはさらに、前記進気室に位置し、前記第二分配流道との間に分配電磁バルブ棒を設置する収容設置室を備え、前記コントロールエアバルブのコイルは、前記収容設置室外周に位置し、
前記分配電磁バルブ棒の一端は、前記第一分配流道の入口を封鎖し、前記分配電磁バルブ棒の反対端は、前記第二分配流道の入口と間隔距離を保持し、しかもコイルの励起作用を受けて移動後は、前記第一分配流道の入口を開放し、同時に第二分配流道の入口を封鎖することを特徴とする請求項１に記載の複合式エア分配バルブユニット。
【請求項３】
前記各充排気バルブは、前記逆流防止弁と前記充排気室との間に、前記分配電磁バルブを設置する収容設置室を設置し、
前記充排気バルブのコイルは、収容設置室外周に位置し、前記充排気電磁バルブ棒の一端は、排気口を封鎖し、これにより前記排気口は常に閉まった状態を保持し、前記充排気バルブ棒の反対端は、前記進気通道と間隔距離を保持し、前記充排気電磁バルブ棒は、オイルの励起作用を受けて移動すると、進気通道を封鎖し、同時に排気口を開放することを特徴とする請求項１或いは２の任意の一項に記載の複合式エア分配バルブユニット。
【請求項４】
前記コントロールエアバルブの分配電磁バルブ棒両端には、漏れ止めバルブプラグを設置し、前記収容設置室内周と前記分配電磁バルブ棒外周との間には、空気が流通できる間隙を備え、
しかも、前記収容設置室底部には、バネを設置し、前記分配電磁バルブ棒に接触し、
これにより、前記分配電磁バルブ棒頂点部の漏れ止めバルブプラグは、恒常的に、前記第一分配流道の入口に接触し閉鎖を保持することができ、
コイルの励起作用を受け、前記分配電磁バルブ棒が下方へと移動し、バネを圧縮すると、前記分配電磁バルブ棒底部の漏れ止めバルブプラグは、前記第二分配流道の入口を封鎖し、同時に、前記第一分配流道の入口を開放することを特徴とする請求項２に記載の複合式エア分配バルブユニット。
【請求項５】
前記コントロールエアバルブの第二分配流道と前記収容設置室との間には、コイルを設置する弁台を設置し、
前記弁台頂点部には、前記収容設置室底部に突出する入口を設置し、前記弁台底部には、出口を設置し、前記第二分配流道と連通し、
しかも、前記分配電磁バルブ棒が下方へと移動し、前記入口に接触すると、前記第二分配流道を閉鎖することができることを特徴とする請求項４に記載の複合式エア分配バルブユニット。
【請求項６】
前記充排気バルブの充排気電磁バルブ棒両端には、漏れ止めバルブプラグを設置し、
前記収容設置室内周と前記充排気電磁バルブ棒外周との間には、空気が流通できる間隙を備え、しかも前記収容設置室底部には、バネを設置し、前記充排気電磁バルブ棒に接触し、
これにより、前記充排気電磁バルブ棒頂点部の漏れ止めバルブプラグは、排気口に接触し、閉鎖状態を保持することができ、
前記充排気電磁バルブ棒は、コイルの励起作用を通して、下方へと移動し、バネを圧縮すると、前記充排気電磁バルブ棒底部の漏れ止めバルブプラグは、進気通道を閉鎖すると同時に、排気口を開放することを特徴とする請求項３に記載の複合式エア分配バルブユニット。
【請求項７】
前記各充排気バルブは、進気通道と前記収容設置室との間には、コイルを設置する弁台を設置し、
前記弁台底部には、入口を設置し、進気通道と連通し、頂点部には、前記収容設置室底部に突出する出口を設置し、
しかも、前記充排気電磁バルブ棒が下方へと移動し、出口に接触すると、前記進気通道を閉鎖することを特徴とする請求項６に記載の複合式エア分配バルブユニット。
【請求項８】
前記各充排気バルブの排気口外側には、消音シートを設置することを特徴とする請求項１に記載の複合式エア分配バルブユニット。
【請求項９】
前記殻体外側にはさらに、前記コントロールエアバルブの進気管と進気室との間に、圧力を調整可能な圧力調整アセンブリを設置することを特徴とする請求項１に記載の複合式エア分配バルブユニット。
【請求項１０】
前記第一分配流道及び前記第二分配流道には、１個以上の充排気バルブをそれぞれ連接することを特徴とする請求項１に記載の複合式エア分配バルブユニット。
【考案の詳細な説明】
【技術分野】
【０００１】
本考案は、複合式エア分配バルブユニットに関し、空気ポンプを備える吸排気システム中に設置し、少なくとも２組のエアバッグに対して空気充填を行う複合式エア分配バルブユニットに関する。
【背景技術】
【０００２】
一般の充排気システムにおいて、空気ポンプと複数のエアバッグとの間の空気充填パイプには、１個或いは数個のコントロールエアバルブを設置し、空気を充填しようとするエアバッグを切り換える。また、各コントロールエアバルブと異なるエアバッグとの間には、さらに３個のバルブ体を設置し、対応するエアバッグの充排気をコントロールする。上記した３個のバルブは、逆流防止弁、エアバッグへの空気充填をコントロール可能な進気弁、空気充填パイプにバイパスする排気弁である。また、充排気システムは、エレクトリックコントロールモジュールを備える。エレクトリックコントロールモジュールは、上記したコントロールエアバルブ、進気弁、排気弁など数個のバルブ、および空気ポンプの作動をコントロールし、これにより空気ポンプは各エアバッグに空気を充填することができる。こうして、使用者はエレクトリックコントロールモジュールによりエアバッグの飽和度を調節することができる。
【０００３】
上記したコントロールエアバルブ、進気弁、排気弁とは、通常は、コイル励起原理を利用し制御する電磁バルブである。エレクトリックコントロールモジュールにより、コントロールエアバルブが駆動されると、空気ポンプはコントロールエアバルブに対して、対応する空気充填パイプの空気を充填させる。この時、エレクトリックコントロールモジュールは、空気充填パイプが対応する進気弁を同時に駆動する必要があり、さもなくばエアバッグに空気を充填することはできない。エレクトリックコントロールモジュールによりエアバッグの排気を行う時には、エアバッグが対応するコントロールエアバルブ、進気弁を閉鎖し、同時に排気弁を駆動する必要があり、さもなくばエアバッグ内の空気を排出することはできない。
【０００４】
上記したシステムの説明により分かるように、任意のエアバッグに空気を充填しようとする時には、エレクトリックコントロールモジュールは、少なくともコントロールエアバルブと対応する進気弁を駆動しなければ、エアバッグに空気を充填することはできない。もし、複数のエアバッグに同時に空気を充填しようとするなら、複数のバルブの作動を同時にコントロールしなければならないため、エレクトリックコントロールモジュールの回路設計が複雑になってしまい、しかも複数のバルブが作動することで、少なくない電力を消費してしまう。もし、充排気システムを、自動車シート内などのエネルギーが限られている環境に設置するなら、その電力負担は拡大してしまう。
【０００５】
さらに、各エアバッグは、進気弁と排気弁の２個のバルブをコントロールすることで、充排気の動作を行い、さらに逆流防止弁を合わせて、空気充填後の飽和度を維持している。また、逆流防止弁を組み合せて、空気充填後の飽和度を維持し、さらに空気充填パイプ上に１個以上のコントロールエアバルブを設置する。これにより、パーツを配置する空間、及び設置コストが拡大し、パーツ故障によるメンテナンスの比率も高まってしまう。
【０００６】
本考案が提供する複合式エア分配バルブユニットは、多数組のエアバッグに進気、空気充填、逆流防止、排気の多重機能を実施でき、コントロールエアバルブ、進気弁、排気弁、逆流防止弁などの数個のバルブを設置し、別々にコントロールしなければならない従来の充排気システムに存在する欠点を改善することができる。
【考案の概要】
【考案が解決しようとする課題】
【０００７】
本考案は、目的は、進気、空気充填、逆流防止、排気などの多種の機能を統合でき、多数組のエアバッグに空気を充填後そのまま逆流を防止でき、或いは起動時に排気をバイパスでき、こうして複数のバルブを設置しなければならない従来の充排気システムの問題を改善でき、バルブの個数とコントロールプロセスを大幅に削減することができる複合式エア分配バルブユニットを提供することにある。
【課題を解決するための手段】
【０００８】
複合式エア分配バルブユニットであって、空気ポンプとエレクトリックコントロールモジュールを備える充排気システム中に設置し、少なくとも２組のエアバッグに対して空気充填を行う。
しかも、エア分配バルブユニットは、外殻を備える。
外殻は、進気端から出気端まで順番に、エレクトリックコントロールモジュールと電気的に連接するコントロールエアバルブ、少なくとも２個の充排気バルブを備える。
コントロールエアバルブは、空気ポンプ出気端と連通する進気管、進気管下流に連通する進気室、コイルの励起作用を受け移動する分配電磁バルブ棒、分配電磁バルブ棒に封鎖され、進気室との間を常に閉まった状態に保持する第一分配流道、進気室との間を常に開いた状態に保持する第二分配流道を備える。
分配電磁バルブ棒の移動後には、第二分配流道を封鎖すると同時に第一分配流道を開放できる。
少なくとも２個の充排気バルブには、進気通道をそれぞれ設置し、第一或いは第二分配流道に連通し、各充排気バルブは、進気通道上に位置する逆流防止弁、コイルの励起作用を受け移動する充排気電磁バルブ棒、逆流防止ベル部及び充排気電磁バルブ棒を通して進気通道と連通する充排気室、充排気室と常に開いた状態を保持する空気充填チューブ、充排気電磁バルブ棒の封鎖を受け、充排気室と常に閉まった状態を保持する排気口をそれぞれ備える。
任意の充排気バルブの進気通道に進気する時、空気は逆流防止弁、充排気室、空気充填チューブを通りエアバッグに対して空気を充填し、しかも進気を停止すると、逆流防止弁の逆流防止作用により、エアバッグ内の空気圧力を保持する。
充排気電磁バルブ棒がコイルの励起作用を受け移動すると、進気通道を閉鎖し、同時に排気口を開放し、これによりエアバッグ内の空気は反対向きに空気充填チューブ、充排気室を経由後、排気口より排出される。
【０００９】
上記した構造により、コントロールエアバルブの第二分配流道と２この充排気バルブの充気管は共に常に開いた状態を維持し、空気ポンプが進気すると、第二分配流道と連通するエアバッグユニットに直接空気を充填する。或いは、コントロールエアバルブの分配電磁バルブ棒は励起作用を受けて移動し、第一分配流道を切り換え、別のエアバッグユニットに対して空気を充填する。すなわち、エア分配バルブユニットは、多くとも一回の励起電力を消耗するだけで、エアバッグに対して空気を充填することができる。
【００１０】
空気ポンプが進気を停止すると、各エアバッグは、各充排気バルブの逆流防止弁を通してエアバッグ内の空気圧力を保持することができる。しかも、逆流防止弁は、構造設計を利用し、空気の漏洩を防止するため、電力を消費する必要はない。
【考案の効果】
【００１１】
任意の充排気バルブ上の充排気電磁バルブ棒が移動すると、進気通道を閉鎖し、同時に排気口を開放し、これによりエアバッグ内の空気は反対向きに空気充填チューブ、充排気室を経由後、排気口より排出される。この時、充排気バルブは、一度の励起電力を消耗するだけで、空気充填と排気の目的を同時に達成することができ、これにより、バルブの個数とコントロールプロセスを大幅にシンプルにすることができる。
【図面の簡単な説明】
【００１２】
【図１】本考案の立体外観図である。
【図２】本考案の立体分解図である。
【図３】本考案の側面断面構造模式図である。
【図４】本考案のコントロールエアバルブの側面断面構造模式図である。
【図５】本考案の２個の充排気バルブの側面断面構造模式図である。
【図６】本考案の第二分配流道の進気模式図である。
【図７】本考案の第一分配流道の進気模式図である。
【図８】本考案において、第一エアバッグが排気し、第二エアバッグが空気圧を保持する様子を示す模式図である。
【図９】本考案において、第二エアバッグが排気し、第一エアバッグが空気圧を保持する様子を示す模式図である。
【考案を実施するための形態】
【実施例１】
【００１３】
本考案の一実施形態による複合式エア分配バルブユニットを図面に基づいて説明する。図１〜３に示すように、本考案の複合式エア分配バルブユニット１は、空気ポンプ２とエレクトリックコントロールモジュール３を備える充排気システム中に設置し、少なくとも２組のエアバッグに対して空気充填を行う。しかも、エア分配バルブユニット１は、外殻１００を備える。外殻１００は、進気端から出気端まで順番に、エレクトリックコントロールモジュール３と電気的に連接するコントロールエアバルブ２００、少なくとも２個の充排気バルブ３００を備える。図中では、１個のコントロールエアバルブ２００、４個の充排気バルブ３００を例とする。２個の充排気バルブ３００は、２個の第一エアバッグ４Ａに対して空気充填を行い、残りの２個の充排気バルブ３００は、２個の第一エアバッグ４Ａに対して空気充填を行う。
【００１４】
図４に合わせて示すように、コントロールエアバルブ２００は、空気ポンプ２出気端と連通する進気管１０、進気管１０下流に連通する進気室２０、進気室２０下流に位置する収容設置室（Ａ）２１、収容設置室（Ａ）２１内に設置しコイル（Ａ）３１の励起作用を受け移動する分配電磁バルブ棒３０、進気室２０にバイパスする第一分配流道２２、収容設置室（Ａ）２１下流に位置し進気室２０と間接的に連通を保持する第二分配流道２３を備える。第一分配流道２２と第二分配流道２３とは、１個以上の充排気バルブ３００をそれぞれ連接する。実施時には、殻体１００外側にはさらに、コントロールエアバルブ２００の進気管１０と進気室２０との間に、圧力を調整可能な圧力調整アセンブリ７０を設置する。
【００１５】
分配電磁バルブ棒３０両端には、漏れ止めバルブプラグ（Ａ）３２を設置する。収容設置室（Ａ）２１内周と分配電磁バルブ棒３０外周との間には、空気が流通できる間隙（Ａ）３３を備える。しかも、収容設置室（Ａ）２１底部には、バネ（Ａ）３４を設置し、分配電磁バルブ棒３０に接触する。これにより、分配電磁バルブ棒３０頂点部の漏れ止めバルブプラグ（Ａ）３２は、恒常的に、第一分配流道２２の入口に接触し閉鎖を保持することができる。コイル（Ａ）３１は、収容設置室（Ａ）２１外周に設置する。分配電磁バルブ棒３０は、コイル（Ａ）３１の励起作用を通して、下方へと移動し、バネ（Ａ）３４を圧縮する。これにより、分配電磁バルブ棒３０底部の漏れ止めバルブプラグ（Ａ）３２は、第二分配流道２３の入口を閉鎖すると同時に、第一分配流道２２の入口を開放することができる。
【００１６】
さらに、コントロールエアバルブ２００の第二分配流道２３と収容設置室（Ａ）２１との間には、コイル（Ａ）３１を設置する弁台（Ａ）３５を設置する。弁台（Ａ）３５頂点部には、収容設置室（Ａ）２１底部に突出する入口（Ａ）３５１を設置する。弁台（Ａ）３５底部には、出口（Ａ）３５２を設置し、第二分配流道２３と連通する。しかも、分配電磁バルブ棒３０が下方へと移動し、入口分配電磁バルブ棒３０に接触すると、第二分配流道２３を閉鎖することができる。図中では、弁台（Ａ）３５と収容設置室（Ａ）２１との間には、漏れ止めゴムリング（Ａ）３５３を設置する。これにより、コントロールエアバルブ２００内部は、密閉を保持され、気流の漏れを防止することができる。
【００１７】
図５に合わせて示すように、各充排気バルブ３００には、進気通道４０をそれぞれ設置し、第一分配流道２２或いは第二分配流道２３に連通する。各充排気バルブ３００はそれぞれ進気通道４０上に位置する逆流防止弁５０、逆流防止弁５０下流に位置する収容設置室（Ｂ）４１、収容設置室（Ｂ）４１内に設置しコイル（Ｂ）６１の励起作用を受ける充排気電磁バルブ棒６０、収容設置室（Ｂ）４１下流に連通する充排気室４２、充排気室４２と常に開いた状態を保持する空気充填チューブ４３、外部大気と連通する排気口４４を備える。充排気電磁バルブ棒６０一端は、排気口４４に接触し、これにより排気口４４と充排気室４２とは、常に閉じた状態を保持する。充排気電磁バルブ棒６０反対端は、進気通道４０と間隔距離を保持し、充排気電磁バルブ棒６０がコイル（Ｂ）６１の励起作用を受け移動すると、進気通道４０を閉鎖し、排気口４４を同時に開放することができる。
【００１８】
充排気電磁バルブ棒６０両端には、漏れ止めバルブプラグ（Ｂ）６２を設置する。収容設置室（Ｂ）４１内周と充排気電磁バルブ棒６０外周との間には、空気が流通できる間隙（Ｂ）６３を備える。しかも、収容設置室（Ｂ）４１底部には、バネ（Ｂ）６４を設置し、充排気電磁バルブ棒６０に接触する。これにより、充排気電磁バルブ棒６０頂点部の漏れ止めバルブプラグ（Ｂ）６２は、排気口４４に接触し、閉鎖状態を保持することができる。コイル（Ｂ）６１は、収容設置室（Ｂ）４１外周に設置する。充排気電磁バルブ棒６０は、コイル（Ｂ）６１の励起作用を通して、下方へと移動し、バネ（Ｂ）６４を圧縮する。これにより、充排気電磁バルブ棒６０底部の漏れ止めバルブプラグ（Ｂ）６２は、進気通道４０を閉鎖すると同時に、排気口４４を開放することができる。こうして、エアバッグ内の空気は反対向きに、空気充填チューブ４３、充排気室４２を経由後、排気口４４から排出される。実施時には、各充排気バルブ３００の排気口４４外側には、消音シート８０（スポンジ或いはＰＥ焼結ブロック）を設置する。これにより、エア分配バルブユニット１の排気実施時に、気流は生じる騒音を回避することができる。
【００１９】
さらに、各充排気バルブ３００は、進気通道４０と収容設置室（Ｂ）４１との間には、コイル（Ｂ）６１を設置する弁台（Ｂ）６５を設置する。弁台（Ｂ）６５底部には、入口（Ｂ）６５１を設置し、進気通道４０と連通し、頂点部には、収容設置室（Ｂ）４１底部に突出する出口（Ｂ）６５２を設置する。しかも、充排気電磁バルブ棒６０が下方へと移動し、出口（Ｂ）６５２に接触すると、進気通道４０を閉鎖することができる。図中では、弁台（Ｂ）６５と収容設置室（Ｂ）４１との間には、漏れ止めゴムリング（Ｂ）６５３を設置する。これにより、コントロールエアバルブ２００内部は、密閉を保持され、気流の漏れを防止することができる。
【００２０】
図６に示すように、２個の第一エアバッグ４Ａは、第一分配流道２２下流に設置し、２個の第二エアバッグ４Ｂは、第二分配流道２３下流に設置する。しかも、第二分配流道２３と４個の充排気バルブ３００の空気充填チューブ４３はすべて、常に開いた状態にある。これにより、空気ポンプ２が進気する時、空気の気流は、進気管１０、第二分配流道２３を直接通過後、２個の進気通道４０、逆流防止弁５０、収容設置室（Ｂ）４１、充排気室４２、空気充填チューブ４３にそれぞれ進入し、２個の第二エアバッグ４Ｂに空気を充填する。
【００２１】
図７に示すように、２個の第一エアバッグ４Ａに空気を充填する時には、コントロールモジュール３により、コントロールエアバルブ２００の分配電磁バルブ棒３０は、コイル（Ａ）３１の励磁作用を受け移動し、第一分配流道２２を切り換えて開放する。同時に、第二分配流道２３を閉鎖し、これにより気流は、第一分配流道２２を通過し、２個の第一エアバッグ４Ａに対して空気を充填する。すなわち、エア分配バルブユニット１は多くとも一度の励起電力を消費するだけで、すべてのエアバッグに対して空気を充填することができる。
【００２２】
図８に示すように、空気ポンプが２進気を停止すると、２個の第二エアバッグ４Ｂは、逆流防止弁５０の逆流防止作用により、エアバッグ内の空気圧力を保持することができる。逆流防止弁５０は、構造設計を利用し、空気の漏洩を防止するため、電力を消費する必要はない。すなわち、エア分配バルブユニット１がある組のエアバッグに空気を充填しようとする時には、電力を消費する必要なく、或いは多くとも一度の励起電力を消費し切り換えれば、ある１組のエアバッグに空気を充填することができる。しかも、空気充填の完成後は、エアバッグは空気充填後の空気圧力を維持することができる。２個の第一エアバッグ４Ａの排気を行う時には、コントロールモジュール３により、充排気バルブ３００の充排気電磁バルブ棒６０は、コイル（Ｂ）６１の励起作用を受け移動し、進気通道４０を閉鎖する。同時に、排気口４４を開放し、これによりエアバッグ内の空気は反対向きに、空気充填チューブ４３、充排気室４２を経由後、排気口４４より排出される。
【００２３】
図９に示すように、２個の第一エアバッグ４Ａは、逆流防止弁５０の逆流防止作用により、エアバッグ内の空気圧力を保持される。及び、コントロールモジュール３により、充排気電磁バルブ棒６０を移動させ進気通道４０を閉鎖すると同時に、排気口４４を開放する。これにより、２個の第二エアバッグ４Ｂ内の空気は反対向きに空気充填チューブ４３、充排気室４２を経由後、排気口４４より排出される。図８、９に示すように、充排気バルブ３００は、一度の励起電力を消耗するだけで、空気充填と排気の目的を同時に達成することができる。これにより、バルブの個数とコントロールプロセスを大幅にシンプルにすることができる。
【００２４】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２５】
１  エア分配バルブユニット
２  空気ポンプ
３  コントロールモジュール
４Ａ  第一エアバッグ
４Ｂ  第二エアバッグ
１００  外殻
２００  コントロールエアバルブ
３００  充排気バルブ
１０  進気管
２０  進気室
２１  収容設置室（Ａ）
２２  第一分配流道
２３  第二分配流道
３０  分配電磁バルブ棒
３１  コイル（Ａ）
３２  漏れ止めバルブプラグ（Ａ）
３３  間隙（Ａ）
３４  バネ（Ａ）
３５  弁台（Ａ）
３５１  入口（Ａ）
３５２  出口（Ａ）
３５３  漏れ止めゴムリング（Ａ）
４０  進気通道
４１  収容設置室（Ｂ）
４２  充排気室
４３  空気充填チューブ
４４  排気口
５０  逆流防止弁
６０  充排気電磁バルブ棒
６１  コイル（Ｂ）
６２  漏れ止めバルブプラグ（Ｂ）
６３  間隙（Ｂ）
６４  バネ（Ｂ）
６５  弁台（Ｂ）
６５１  入口（Ｂ）
６５２  出口（Ｂ）
６５３  漏れ止めゴムリング（Ｂ）
７０  圧力調整アセンブリ
８０  消音シート
【図１】
0003195007.tif 000003
【図２】
0003195007.tif 000004
【図３】
0003195007.tif 000005
【図４】
0003195007.tif 000006
【図５】
0003195007.tif 000007
【図６】
0003195007.tif 000008
【図７】
0003195007.tif 000009
【図８】
0003195007.tif 000010
【図９】
0003195007.tif 000011
【手続補正書】
【提出日】平成26年10月22日(2014.10.22)
【手続補正１】
【補正対象書類名】実用新案登録請求の範囲
【補正対象項目名】全文
【補正方法】変更
【補正の内容】
【実用新案登録請求の範囲】
【請求項１】
複合式エア分配バルブユニットであって、空気ポンプとエレクトリックコントロールモジュールを備える充排気システム中に設置し、少なくとも２組のエアバッグに対して空気充填を行い、
しかも、エア分配バルブユニットは、外殻を備え、
前記外殻は、進気端から出気端まで順番に、前記エレクトリックコントロールモジュールと電気的に連接するコントロールエアバルブ、少なくとも２個の充排気バルブを備え、  前記コントロールエアバルブは、空気ポンプ出気端と連通する進気管、前記進気管下流に連通する進気室、コイルの励起作用を受け移動する分配電磁バルブ棒、前記分配電磁バルブ棒に封鎖され、前記進気室との間を常に閉まった状態に保持する第一分配流道、前記進気室との間を常に開いた状態に保持する第二分配流道を備え、前記分配電磁バルブ棒の移動後には、第二分配流道を封鎖すると同時に第一分配流道を開放でき、
前記少なくとも２個の充排気バルブには、進気通道をそれぞれ設置し、第一或いは第二分配流道に連通し、前記各充排気バルブは、進気通道上に位置する逆流防止弁、コイルの励起作用を受け移動する充排気電磁バルブ棒、前記逆流防止弁及び前記充排気電磁バルブ棒を通して前記進気通道と連通する充排気室、前記充排気室と常に開いた状態を保持する空気充填チューブ、前記充排気電磁バルブ棒の封鎖を受け、前記充排気室と常に閉まった状態を保持する排気口をそれぞれ備え、
任意の充排気バルブの進気通道に進気する時、空気は逆流防止弁、充排気室、空気充填チューブを通りエアバッグに対して空気を充填し、しかも進気を停止すると、逆流防止弁の逆流防止作用により、エアバッグ内の空気圧力を保持し、
前記充排気電磁バルブ棒がコイルの励起作用を受け移動すると、進気通道を閉鎖し、同時に排気口を開放し、これによりエアバッグ内の空気は反対向きに空気充填チューブ、充排気室を経由後、排気口より排出されることを特徴とする複合式エア分配バルブユニット。
【請求項２】
前記コントロールエアバルブはさらに、前記進気室に位置し、前記第二分配流道との間に分配電磁バルブ棒を設置する収容設置室を備え、前記コントロールエアバルブのコイルは、前記収容設置室外周に位置し、
前記分配電磁バルブ棒の一端は、前記第一分配流道の入口を封鎖し、前記分配電磁バルブ棒の反対端は、前記第二分配流道の入口と間隔距離を保持し、しかもコイルの励起作用を受けて移動後は、前記第一分配流道の入口を開放し、同時に第二分配流道の入口を封鎖することを特徴とする請求項１に記載の複合式エア分配バルブユニット。
【請求項３】
前記各充排気バルブは、前記逆流防止弁と前記充排気室との間に、前記分配電磁バルブ棒を設置する収容設置室を設置し、
前記充排気バルブのコイルは、収容設置室外周に位置し、前記充排気電磁バルブ棒の一端は、排気口を封鎖し、これにより前記排気口は常に閉まった状態を保持し、前記充排気電磁バルブ棒の反対端は、前記進気通道と間隔距離を保持し、前記充排気電磁バルブ棒は、オイルの励起作用を受けて移動すると、進気通道を封鎖し、同時に排気口を開放することを特徴とする請求項１或いは２の任意の一項に記載の複合式エア分配バルブユニット。
【請求項４】
前記コントロールエアバルブの分配電磁バルブ棒両端には、漏れ止めバルブプラグを設置し、前記収容設置室内周と前記分配電磁バルブ棒外周との間には、空気が流通できる間隙を備え、
しかも、前記収容設置室底部には、バネを設置し、前記分配電磁バルブ棒に接触し、
これにより、前記分配電磁バルブ棒頂点部の漏れ止めバルブプラグは、恒常的に、前記第一分配流道の入口に接触し閉鎖を保持することができ、
コイルの励起作用を受け、前記分配電磁バルブ棒が下方へと移動し、バネを圧縮すると、前記分配電磁バルブ棒底部の漏れ止めバルブプラグは、前記第二分配流道の入口を封鎖し、同時に、前記第一分配流道の入口を開放することを特徴とする請求項２に記載の複合式エア分配バルブユニット。
【請求項５】
前記コントロールエアバルブの第二分配流道と前記収容設置室との間には、コイルを設置する弁台を設置し、
前記弁台頂点部には、前記収容設置室底部に突出する入口を設置し、前記弁台底部には、出口を設置し、前記第二分配流道と連通し、
しかも、前記分配電磁バルブ棒が下方へと移動し、前記入口に接触すると、前記第二分配流道を閉鎖することができることを特徴とする請求項４に記載の複合式エア分配バルブユニット。
【請求項６】
前記充排気バルブの充排気電磁バルブ棒両端には、漏れ止めバルブプラグを設置し、
前記収容設置室内周と前記充排気電磁バルブ棒外周との間には、空気が流通できる間隙を備え、しかも前記収容設置室底部には、バネを設置し、前記充排気電磁バルブ棒に接触し、
これにより、前記充排気電磁バルブ棒頂点部の漏れ止めバルブプラグは、排気口に接触し、閉鎖状態を保持することができ、
前記充排気電磁バルブ棒は、コイルの励起作用を通して、下方へと移動し、バネを圧縮すると、前記充排気電磁バルブ棒底部の漏れ止めバルブプラグは、進気通道を閉鎖すると同時に、排気口を開放することを特徴とする請求項３に記載の複合式エア分配バルブユニット。
【請求項７】
前記各充排気バルブは、進気通道と前記収容設置室との間には、コイルを設置する弁台を設置し、
前記弁台底部には、入口を設置し、進気通道と連通し、頂点部には、前記収容設置室底部に突出する出口を設置し、
しかも、前記充排気電磁バルブ棒が下方へと移動し、出口に接触すると、前記進気通道を閉鎖することを特徴とする請求項６に記載の複合式エア分配バルブユニット。
【請求項８】
前記各充排気バルブの排気口外側には、消音シートを設置することを特徴とする請求項１に記載の複合式エア分配バルブユニット。
【請求項９】
殻体外側にはさらに、前記コントロールエアバルブの進気管と進気室との間に、圧力を調整可能な圧力調整アセンブリを設置することを特徴とする請求項１に記載の複合式エア分配バルブユニット。
【請求項１０】
前記第一分配流道及び前記第二分配流道には、１個以上の充排気バルブをそれぞれ連接することを特徴とする請求項１に記載の複合式エア分配バルブユニット。